(57)【要約】【課題】照射口を小さくしつつ、灯具により照射口を中心とした広い領域を照射することができる天井埋込型照明装置を提供する。【解決手段】埋込型照明装置１において、照射口１１が下面に形成される外枠１０と、外枠１０内に配置される複数の灯具４０・４０・４０・４０と、を備え、各灯具４０を照射口１１に向けた状態で上下に案内するように伸縮する伸縮部材３３を備えた、複数の灯具支持部３０・３０・３０・３０と、照射口１１の周囲を回動させるように各灯具支持部３０を案内する案内部２０と、を更に備えた。【選択図】図１
2010009996.tif 000002
【特許請求の範囲】
【請求項１】
照射口が下面に形成される外枠と、
前記外枠内に配置される複数の灯具と、
を備えた埋込型照明装置であって、
前記照射口の中心軸上を中心とする前記照射口の周縁部から前記照射口の上方に至る仮想の円弧に沿って上下に伸縮する伸縮部材を備え、前記灯具を前記仮想の円弧の半径方向で前記照射口に向けた状態で前記伸縮部材に配設した複数の灯具支持部と、
前記照射口の周囲を回動させるように前記各灯具支持部を案内する案内部と、
を備えたことを特徴とする埋込型照明装置。
【請求項２】
前記案内部は、前記照射口の周囲に設けられる環状のレール部材であり、
前記灯具支持部は、前記レール部材に沿って移動することを特徴とする請求項１に記載の埋込型照明装置。
【請求項３】
前記複数の灯具支持部のうち、一の灯具支持部は、前記灯具を前記照射口の直上まで案内することを特徴とする請求項１または請求項２のいずれか１項に記載の埋込型照明装置。
【請求項４】
前記灯具支持部は、前記灯具を上下に移動させる移動機構を備え、前記移動機構の操作部は、前記照射口に向けて設けられていることを特徴とする請求項１から３のいずれか１項に記載の埋込型照明装置。
【発明の詳細な説明】
【技術分野】
【０００１】
本発明は、照明装置に関し、より詳細には天井埋込型の照明装置に関する。
【背景技術】
【０００２】
近年、建造物の内装を良好とするために、天井内部に照明装置の本体部を設置し、照明装置の下面を天井部分と面一状態に取り付け、照明装置の本体部を隠した埋込型の照明装置が採用される場合がある。また、照明目的に応じて蛍光灯のように広範囲を照射するタイプの灯具だけでなく、スポットライトのように局所的な範囲を照射するタイプの灯具が使用される場合が増加する傾向にある。
【０００３】
このようなスポットライトのようなタイプの灯具を使用した天井埋込型の照明装置において、内装の外観をより良好とするためには、灯具を見えないようにすることが求められることから、照射光を通過させる天井の照射口ができるだけ小さくなっている。そのため、灯具からの照射光の照射角度を変更して照射位置を変更する場合、天井が照射光を遮断する範囲が大きくなって、照射可能範囲が極端に狭くなる不具合があった。
【０００４】
そこで、この問題を解消する手段として、例えば、特許文献１に記載されているように、灯具に回動可能かつ移動可能に構成されたアーム等を設け、灯具からの照射光の照射角度および照射位置を変更可能とする天井埋込型の照明装置の技術が公知となっている。この技術を用いることによって、照射口が小さな場合において、照射可能範囲の拡大化が図られている。
【特許文献１】特開２００５−２６１００号公報
【発明の開示】
【発明が解決しようとする課題】
【０００５】
特許文献１に記載の技術は、複数の灯具を具備する場合には、灯具毎にこれと対向する照射口を設ける必要があったため、照射口にある程度の大きさをもたせなければならず、天井の照射口をできるだけ小さくするという目的に対して不利な場合があった。また、各灯具に備えられたアーム等が干渉するため、灯具の移動範囲がある一定の移動範囲に規制されて、灯具により一部の方向を照射することができないという不具合が生じていた。
【０００６】
そこで本発明は、照射口を小さくしつつ、灯具により照射口を中心とした広い領域を照射することができる天井埋込型照明装置を提供することを目的とする。
【課題を解決するための手段】
【０００７】
請求項１においては、照射口が下面に形成される外枠と、前記外枠内に配置される複数の灯具と、を備えた埋込型照明装置であって、前記照射口の中心軸上を中心とする前記照射口の周縁部から前記照射口の上方に至る仮想の円弧に沿って上下に伸縮する伸縮部材を備え、前記灯具を前記仮想の円弧の半径方向で前記照射口に向けた状態で前記伸縮部材に配設した複数の灯具支持部と、前記照射口の周囲を回動させるように前記各灯具支持部を案内する案内部と、を備えたものである。
【０００８】
請求項２においては、前記案内部は、前記照射口の周囲に設けられる環状のレール部材であり、前記灯具支持部は、前記レール部材に沿って移動するものである。
【０００９】
請求項３においては、前記複数の灯具支持部のうち、一の灯具支持部は、前記灯具を前記照射口の直上まで案内するものである。
【００１０】
請求項４においては、前記灯具支持部は、前記灯具を上下に移動させる移動機構を備え、前記移動機構の操作部は、前記照射口に向けて設けられているものである。
【発明の効果】
【００１１】
本発明の効果として、以下に示すような効果を奏する。
【００１２】
請求項１の如く構成したので、灯具を灯具支持部の伸縮部材により照射口に向けた状態で上下に案内して移動させる場合、灯具を上方に移動させた状態では、この灯具により埋込型照明装置の直下付近の領域を照射することが可能となり、灯具を下方に移動させた状態では、この灯具により埋込型照明装置から離れた領域を照射することが可能となる。また、灯具を案内部により照射口の周囲を回動させるように案内する場合、この灯具により照射する領域を照射口を中心として回動させることが可能となる。したがって、照射口を小さくしつつ、灯具により照射口を中心とした広い領域を照射することができる。そのうえ、灯具を灯具支持部の伸縮部材により上下に移動させても、左右に隣接する他の灯具に接触しにくくなる。したがって、灯具支持部の案内時に、灯具同士の干渉を防止しつつ、灯具により任意の方向を照射することができる。
【００１３】
請求項２の如く構成したので、灯具支持部をその下部で案内部であるレール部材に支持することが可能となる。したがって、灯具支持部の一部に重力が集中することがなくなり、灯具により照射する領域を照射口を中心として回動させる場合に、灯具支持部を安定した状態で支持しつつ、移動させることができる。
【００１４】
請求項３の如く構成したので、一の灯具支持部で、灯具を照射口の直上まで案内するが、残りの灯具支持部では、灯具を照射口の直上まで案内しないこととなる。したがって、灯具支持部による案内時に、灯具同士の干渉を防止しつつ、一の灯具支持部の灯具により埋込型照明装置の直下付近の領域も確実に照射することができる。
【００１５】
請求項４の如く構成したので、操作部を照射口側から操作して、移動機構を作動させることが可能となる。したがって、たとえば埋込型照明装置が建造物の天井内部に埋め込まれ状態であっても、灯具を上下に容易に移動させることができる。
【発明を実施するための最良の形態】
【００１６】
次に、本発明の一実施形態について説明する。なお、以下において、図１における矢印Ｕ方向を上方向として上下方向を規定する。
【００１７】
図１に示すように、埋込型照明装置１は、建造物の天井内部に埋め込まれ、照射光を天井から下方へ照射可能となるように構成される。埋込型照明装置１には、主として外枠１０と、複数の灯具４０・４０・４０・４０と、灯具４０と同数の灯具支持部３０・３０・３０・３０と、案内部２０とが備えられる。ただし、灯具の個数は、本実施形態においては、四つとするが、これに限定するものではなく、三つや五つでもよい。
【００１８】
外枠１０は、側面視略直方形状に形成され、前述の他の部材を内装するように構成される。外枠１０は、底部中央に有する照射口１１を天井面に形成された天井開口部１３にあわせて配置され、側面に設けられた吊り具１２・１２により、梁等の建造物の構造体に固定される。ここでは、照射口１１は、外枠１０内部の各灯具４０からの照射光を下方へ向けて通過させるように、適宜の開口面積をもった円形状とされる。
【００１９】
図２に示すように、案内部２０は、レール部材２１で構成される。レール部材２１は、複数の円弧状の分割レール部材２１ａ・２１ａ・２１ａ・２１ａを適宜に接続することにより環状に形成され、埋込型照明装置１の平面視で、その中心が照射口１１の中心Ｐと一致するように、照射口１１の周囲に同心円状に配置される。レール部材２１は、各分割レール部材２１ａ同士の接続部で、外枠１０の底部に上方へ向けて立設された支持部材２２にボルト２３にて固定される。
【００２０】
レール部材２１には、その円周方向に適宜の間隔をとって複数の灯具支持部３０・３０・３０・３０が支持され、後述するように、レール部材２１に沿って移動可能とされる。そのうえで、レール部材２１には、ストッパ１５が上方へ向けて突出するように設けられる。このストッパ１５は、灯具支持部３０と灯具支持部３０との間に配置され、灯具支持部３０がレール部材２１に沿って移動する場合に、この灯具支持部３０と接触して、灯具支持部３０の移動を規制するようになっている。
【００２１】
図３に示すように、各灯具支持部３０は、台座３１と、伸縮部材３３とで構成される。台座３１は、レール部材２１の上方に配置され、このレール部材２１に四つの案内輪３２・３２・３２・３２を介して支持される。各案内輪３２・３２・３２・３２は、その円周方向にレール部材２１と嵌合可能な溝部３２ｂを有して構成され、台座３１の底部に下方へ向けて突出するように設けられた支軸３２ａに回転自在に支持される。
【００２２】
四つの案内輪３２・３２・３２・３２は二つ一組とされ、各組がレール部材２１の円周方向に並べて配置される。各組において、二つの案内輪３２・３２は、レール部材２１の内径側と外径側とに配置され、その両側からレール部材２１を挟むように設けられる。このとき、各案内輪３２は、その溝部３２ｂでレール部材２１の外周縁部または内周縁部と嵌合され、その嵌合状態を維持しながら回転可能とされる。
【００２３】
こうして、台座３１が四つの案内輪３２・３２・３２・３２の回動によりレール部材２１に沿って移動可能とされ、その移動により台座３１を含めた灯具支持部３０が灯具４０をともなって照射口１１の周囲を回動するように案内されることとなっている。そして、このように移動可能とされた台座３１に、伸縮部材３３が上方へ向けて立設されるとともに、この伸縮部材３３に支持される灯具４０のインバーター３１ａや端子台等の機器が載置される。
【００２４】
また、台座３１には、ロック部材３７が設けられる。ロック部材３７は、棒状部材で構成され、レール部材２１の内周面に対して直交する方向、即ちレール部材２１の半径方向延伸され、台座３１の底部に下方へ向けて突設されたＬ字状のプレート３７ｂに螺挿される。このロック部材３７は、照射口１１側の端部に操作部３７ａを備えて、この操作部３７ａの回動操作によりレール部材２１の半径方向に移動可能とされ、他端部でレール部材２１に圧接可能とされる。
【００２５】
よって、操作部３７ａが回動操作された場合に、ロック部材３７がレール部材２１に圧接されるとき、台座３１ひいては灯具支持部３０がレール部材２１に対して固定されるようになっている。一方、この圧接状態が解除されたとき、台座３１がレール部材２１に沿って移動可能となり、灯具支持部３０が照射口１１の周囲を回動するように案内可能ととなっている。このとき、操作部３７ａは、照射口１１に向けて設けられていることから、容易に回動操作可能となっている。
【００２６】
伸縮部材３３は、一対の灯具案内部材３４・３４と、灯具支持部材３５とで構成される。一対の灯具案内部材３４・３４は、台座３１上でレール部材２１の円周方向に所定間隔をとって対向配置され、各々の下部で台座３１に固定される。各灯具案内部材３４は、伸縮部材３３の側面視で、台座３１側から照射口１１の中心Ｐを同じく中心として、照射口１１の周縁部から照射口１１の上方に至る仮想の円弧Ｒに沿って湾曲しながら上方に延伸される。
【００２７】
各灯具案内部材３４の上部には、仮想の円弧Ｒに沿って上下方向に延伸し、かつ他方の灯具案内部材３４側に突出する凸部３４ｂが仮想の円弧Ｒの半径方向に所定幅をもって備えられ、この凸部３４ｂに同様に仮想の円弧Ｒに沿って上下方向に延伸する案内溝３４ａが形成される。また、両灯具案内部材３４・３４の上下中途部の間には、一対の支持部材３８・３８が架設され、仮想の円弧Ｒの半径方向に所定間隔をとって対向配置される。
【００２８】
灯具支持部材３５は、平面視略長方形の板状部材で構成され、板厚方向を仮想の円弧Ｒの半径方向として、伸縮部材の側面視で、案内溝３４ａと同一の曲率（仮想の円弧Ｒの曲率）をもって湾曲しながら上下方向に延伸される。灯具支持部材３５は、一対の灯具案内部材３４・３４の間、かつ一対の支持部材３８・３８の間に配置され、各支持部材３８・３８と一定の距離を保ちつつ、両側の長辺部分でそれぞれ対向する灯具案内部材３４の案内溝３４ａに嵌合される。
【００２９】
こうして、灯具支持部材３５は、灯具案内部材３４・３４の案内溝３４ａ・３４ａに沿って摺動可能とされ、その摺動により灯具案内部材３４・３４に対して仮想の円弧Ｒに沿って上下方向に移動できるようになっている。つまり、灯具支持部材３５が仮想の円弧Ｒに沿って上方向に移動した場合に、伸縮部材３３が伸長し、灯具支持部材３５が仮想の円弧Ｒに沿って下方向に移動した場合に、伸縮部材３３が収縮することとなっている。
【００３０】
ここで、複数の灯具支持部３０・３０・３０・３０のうち、一の灯具支持部３０に備えられる伸縮部材３３の最大伸長量は、残りの伸縮部材３３の最大伸長量よりも長く設定される。具体的には、一の灯具支持部３０に備えられる伸縮部材３３の最大伸長量は、灯具支持部材３５の上端部が照射口１１の直上、即ちその中心Ｐの上方に到達するように設定される。残りの伸縮部材３３の最大伸長量は、灯具支持部材３５の上端部が照射口１１の中心の上方には到達しないように設定される。
【００３１】
図４、図５に示すように、移動機構３６は、灯具支持部材３５を灯具案内部材３４・３４に対して仮想の円弧Ｒに沿って上下方向に移動させることで、灯具４０を上下に移動させるためのものである。この移動機構３６は、ラック３５ａと、ピニオン３６ａと、ピニオン軸３６ｂと、複数のナイロンワッシャ３６ｃ・３６ｃ・３６ｃ等の摩擦部材と、二つのナット３６ｄ・３６ｄと、操作部３６ｅとで構成され、灯具案内部材３４・３４と灯具支持部材３５との間に設けられる。
【００３２】
ピニオン軸３６ｂは、移動機構３６の側面視で、一対の支持部材３８・３８に対して直交する方向、即ち仮想の円弧Ｒの半径方向に両支持部材３８・３８の間にわたって延伸され、その両端部で各支持部材３８・３８に回動可能に貫通支持される。一方の支持部材３８を貫通して照射口１１側に突出されるピニオン軸３６ｂの端部には、操作部３６ｅが照射口１１を臨むように設けられ、この操作部３６ｅの回動操作によりピニオン軸３６ｂが回動可能とされる。
【００３３】
ピニオン３６ａは、両支持部材３８・３８の間に配置され、ピニオン軸３６ｂに支持される。また、二つのナット３６ｄ・３６ｄも、両支持部材３８・３８の間に配置され、ピニオン３６ａをピニオン軸３６ｂの軸心方向で挟むように、ピニオン軸３６ｂに螺合される。こうして、ピニオン３６ａがピニオン軸３６ｂ上で両ナット３６ｄ・３６ｄにより位置決めされ、ピニオン軸３６ｂと一体回転可能とされる。
【００３４】
複数のナイロンワッシャ３６ｃ・３６ｃ・３６ｃは、それぞれピニオン軸３６ｂに外嵌され、操作部３６ｅと一方の支持部材３８との間と、一方の支持部材３８と一方のナット３６ｄとの間と、他方のナット３６ｄと他方の支持部材３８との間とに介装される。このナイロンワッシャ３６ｃ・３６ｃ・３６ｃが生じさせる摩擦力によって、操作部３６ｅが回動操作されるときを除いて、ピニオン軸３６ｂ上のピニオン３６ａが回転しない構成とされる。
【００３５】
ラック３５ａは、両支持部材３８・３８の間に配置される灯具支持部材３５に形成される。具体的には、灯具支持部材３５に開口部１６が短手方向にピニオン３６ａの径よりも若干大きな程度の幅を有して、長手方向に沿って延伸するように長方形状に開口され、この開口部１６の一方の長辺部分にラック３５ａが当該長辺部分に沿って形成される。そして、ピニオン軸３６ｂ上のピニオン３６ａが開口部１６の内側に配置され、ラック３５ａと噛合される。
【００３６】
こうして、操作部３６ｅが回動操作されるとき、移動機構３６が作動されることとなり、ピニオン軸３６ｂが回動され、このピニオン軸３６ｂとともにピニオン３６ａが回動されて、このピニオン３６ａに噛合されるラック３５ａが移動されるようになっている。したがって、灯具支持部材３５が灯具案内部材３４に沿って移動されることとなり、伸縮部材３３が仮想の円弧Ｒに沿って伸縮されることとなる。
【００３７】
図３、図６に示すように、灯具４０は、灯具支持部材３５の先端に設けられた吊下げアーム４１を介して、照射光が照射口１１の中心Ｐを通過するように、照射口１１を向いた状態に伸縮部材３３に支持される。吊下げアーム４１は、灯具支持部材３５に取り付けられる略コの字状の取付部４１ａと、取付部４１ａの両端から延設された一対の腕部４１ｂ・４１ｂとを有し、取付部４１ａで灯具支持部材３５に固定され、腕部４１ｂ・４１ｂでボルト４１ｃ・４１ｃにて灯具４０を固定するように構成される。なお、灯具４０には、外枠１０の上部中央から延出される図示しないコードが接続され、このコードを介して電力が供給される。
【００３８】
取付部４１ａは、吊下げアーム４１の側面視での短手方向の幅Ｗをもつ短冊状の板状部材を折り曲げて略コの字状に形成され、その中央の平面部が灯具支持部材３５と対向し、平面部の両側の折曲部が照射口１１の中心Ｐ側に向かって仮想の円弧Ｒの半径方向に延出するように配置される。各腕部４１ｂは、吊下げアーム４１の側面視での短手方向の幅を取付部４１ａの短手方向の幅Ｗと略同一として略短冊状に形成され、それぞれ取付部４１ａの折曲部の外側に配置される。
【００３９】
取付部４１ａの両折曲部には孔４１ｄが形成され、各腕部４１ｂの基端部には長孔４１ｆが腕部４１ｂの長手方向に延伸するように形成される。そして、取付部４１ａの各折曲部と、各腕部４１ｂの基端部とが、それぞれの孔４１ｄおよび長孔４１ｆを一致させるように重ね合わせられ、孔４１ｄおよび長孔４１ｆに螺合されたボルト４１ｇにて回動可能に固定される。また、各腕部４１ｂの先端部側には、折曲部４１ｅ・４１ｅが両側の長辺部分を一定範囲で直角に折り曲げて形成される。なお、各腕部４１ｂにおいて、長孔４１ｆと折曲部４１ｅ・４１ｅとは、腕部４１ｂ・４１ｂの長手方向において、重ならないように設定される。
【００４０】
よって、図３に示すように、長孔４１ｆの範囲内で、各腕部４１ｂが取付部４１ａに対して仮想の円弧Ｒの半径方向に最も上方に移動させることで、各腕部４１ｂの折曲部４１ｅが、取付部４１ａの折曲部に接した状態となる。この状態で、各腕部４１ｂの長孔４１ｆと取付部４１ａの孔４１ｄにボルト４１ｇが螺合され締められることで、各腕部４１ｂは折曲部４１ｅ・４１ｅにより取付部４１ａに対する回動を規制された状態で固定されることとなる。すなわち、灯具４０が、照射口１１の中心Ｐを向いて伸縮部材３３に固定されることとなる。
【００４１】
そして、ボルト４１ｇが緩められることで、腕部４１ｂは自重により長孔４１ｆに沿って下方に移動され、折曲部４１ｅ・４１ｅが取付部４１ａの折曲部から離れることとなる。よって、図６に示すように、腕部４１ｂは長孔４１ｆのボルト４１ｇを中心として回動可能となり、灯具４０の向きを変えることが可能となる。ボルト４１ｇは、照射口１１に臨むように配置されているため、照射口１１側から扱うことが可能となっている。こうして、メンテナンス等を行う際には、ボルト４１ｇを緩めて、容易に灯具４０の向きを変えることができるようなっている。
【００４２】
このように構成することにより、埋込型照明装置１において、灯具４０は、灯具支持部３０とともに案内部２０であるレール部材２１に沿って移動可能となり、照射口１１の周囲を回動して、照射位置（領域）を変更することができるようになっている。また、灯具４０は、灯具支持部３０で伸縮部材３３の伸縮によって、照射口１１の周縁部上方から照射口１１の中央部上方まで、照射口１１の中心Ｐを向いた状態で、照射口１１の中心Ｐを中心とする仮想の円弧Ｒに沿って上下に移動可能となり、照射光の照射角度を変更することができるようになっている。
【００４３】
以上のように、本発明の一実施形態に係る埋込型照明装置１は、照射口１１が下面に形成される外枠１０と、外枠１０内に配置される複数の灯具４０・４０・４０・４０と、を備えたものであって、照射口１１の中心軸上を中心とする照射口１１の周縁部から照射口１１の上方に至る仮想の円弧Ｒに沿って上下に伸縮する伸縮部材３３を備え、灯具４０を仮想の円弧Ｒの半径方向で照射口１１に向けた状態で伸縮部材３３に配設した複数の灯具支持部３０・３０・３０・３０と、照射口１１の周囲を回動させるように各灯具支持部３０を案内する案内部２０と、を備えた構成とされる。
【００４４】
これにより、灯具４０を灯具支持部３０の伸縮部材３３により照射口１１に向けた状態で上下に案内して移動させる場合、灯具４０を上方に移動させた状態では、この灯具４０により埋込型照明装置１の直下付近の領域を照射することが可能となり、灯具４０を下方に移動させた状態では、この灯具４０により埋込型照明装置１から離れた領域を照射することが可能となる。また、灯具４０を案内部２０により照射口１１の周囲を回動させるように案内する場合、この灯具４０により照射する領域を照射口１１を中心として回動させることが可能となる。したがって、照射口１１が小さくても、灯具４０により照射口１１を中心とした広い領域を照射することができる。そのうえ、灯具４０を灯具支持部３０の伸縮部材３３により上下に移動させても、左右に隣接する他の灯具４０に接触しにくくなる。したがって、灯具支持部３０の案内時に、灯具４０同士の干渉を防止しつつ、灯具４０により任意の方向を照射することができる。
【００４５】
埋込型照明装置１は、また、案内部２０は、照射口１１の周囲に設けられる環状のレール部材２１であり、灯具支持部３０は、レール部材２１に沿って移動する構成とされる。
【００４６】
これにより、灯具支持部３０をその下部で案内部２０であるレール部材２１に支持することが可能となる。したがって、灯具支持部３０の一部に重力が集中することがなくなり、灯具４０により照射する領域を照射口１１を中心として回動させる場合に、灯具支持部３０を安定した状態で支持しつつ、移動させることができる。
【００４７】
また、本実施形態では、レール部材２１が、複数の分割レール部材２１・２１・２１・２１を適宜に接続して環状に構成されていることから、メンテナンスを行う際に、一つの分割レール部材２１の接続を解除するだけで、すべての灯具支持部３０・３０・３０・３０をレール部材２１から容易に取り外すことが可能となる。そのため、灯具４０を灯具支持部３０・３０・３０・３０から容易に取り外すことができる。
【００４８】
埋込型照明装置１は、また、複数の灯具支持部３０のうち、一の灯具支持部３０は、灯具４０を照射口１１の直上まで案内する構成とされる。
【００４９】
これにより、一の灯具支持部３０で、灯具４０を照射口１１の直上まで案内するが、残りの灯具支持部３０では、灯具４０を照射口１１の直上まで案内しないこととなる。したがって、灯具支持部３０による案内時に、灯具４０同士の干渉を防止しつつ、一の灯具支持部３０の灯具４０により埋込型照明装置１の直下付近の領域も確実に照射することができる。
【００５０】
埋込型照明装置１は、また、灯具支持部３０は、灯具４０を上下に移動させる移動機構３６を備え、移動機構３６の操作部３６ｅは、照射口１１に向けて設けられている構成とされる。
【００５１】
これにより、操作部３６ｅを照射口１１側から操作して、移動機構３６を作動させることが可能となる。したがって、たとえば埋込型照明装置１が建造物の天井内部に埋め込まれ状態であっても、灯具４０を上下に容易に移動させることができる。
【図面の簡単な説明】
【００５２】
【図１】埋込型照明装置の構成を示す側面断面図。
【図２】埋込型照明装置の構成を示す平面断面図。
【図３】灯具支持部の構成を示す一部断面側面図
【図４】駆動機構の構成を示す矢印Ａの矢視図。
【図５】駆動機構の構成を示す矢印Ｂ−Ｂ´の矢視断面図
【図６】灯具の向きを変えた場合における灯具支持部の構成を示す一部断面側面図
【符号の説明】
【００５３】
１      埋込型照明装置
１０    外枠
１１    照射口
２０    案内部
２１    レール部材
３０    灯具支持部
３３    伸縮部材
３６    移動機構
３６ｅ  操作部
４０    灯具
Ｐ      照射口の中心
Ｒ      仮想の円弧
【図１】
2010009996.tif 000003
【図２】
2010009996.tif 000004
【図３】
2010009996.tif 000005
【図４】
2010009996.tif 000006
【図５】
2010009996.tif 000007
【図６】
2010009996.tif 000008